(57)【特許請求の範囲】
【請求項１】
収納筐体と、
該収納筐体内の下方部に設けられ、前面にディスク状記録媒体の挿入口を有する機器ユニットと、
表示パネルユニットと、
前記収納筐体内の前記機器ユニットの上方に隙間をもって配置されるとともに前後方向に進退動可能に設けられ、前端部にて前記表示パネルユニットの下端部を回動自在に支持する可動支持部材とを有し、
前記収納筐体内に収納状態にある前記表示パネルユニットが、前記可動支持部材の進出動に伴って当該収納筐体から進出し、更に回動して起立状態となるようにした情報再生装置であって、
前記可動支持部材の下面に固定され、該下面より突出するストッパ部材と、
前記機器ユニットの上面に固定され、前記可動支持部材が前方へ完全に進出したときの前記ストッパ部材の位置より前方に配置されており、起立状態となる前記表示パネルユニットを支持する前記可動支持部材と当該機器ユニットとの間の隙間に挿入されたディスク状記録媒体を前記ストッパ部材に向けてガイドするガイド部材とを有することを特徴とする情報再生装置。
【請求項２】
前記ストッパ部材は、前記ディスク状記録媒体が挿入され得る方向を横切る方向に所定間隔をもって配列された２つのストッパ片にて構成されたことを特徴とする請求項１記載の情報再生装置。
【請求項３】
前記ストッパ部材は、前記可動支持部材の下面に固定された板部材に形成されていることを特徴とする請求項１または２記載の情報再生装置。
【請求項４】
前記機器ユニットと前記可動支持部材との間に配設されるフレキシブルプリント配線基板が前記板部材にて前記可動支持部材の下面に固定されていることを特徴とする請求項３記載の情報再生装置。
【請求項５】
前記ガイド部材は、その前面側上部に、後方に向かって立ち上がる湾曲凹面となる第１ガイド部を有することを特徴とする請求項１乃至４のいずれかに記載の情報再生装置。
【請求項６】
前記ガイド部材は、第１ガイド部の横方向略中央部に更に上方に向かって開放された湾曲凹面となる第２ガイド部を有することを特徴とする請求項５記載の情報再生装置。
【発明の詳細な説明】
【技術分野】
【０００１】
本発明は、表示パネルユニットを有し、ＤＶＤ（Digital Versatile Disk）やＣＤ（Compact Disk）からオーディオ情報（音楽及び映像）を再生する車載オーディオ装置等、ディスク状記録媒体から情報を再生する情報再生装置に関する。
【背景技術】
【０００２】
従来、ＤＶＤ（Digital Versatile Disk）、ＣＤ（Compact Disk）、ＭＤ（Mini Disk）等のディスク状記録媒体（以下、単にディスクという）を用いる車載用オーディオ装置やナビゲーション装置等のディスク再生装置（情報再生装置）において、収納筐体内の下方部にディスクの駆動機構等が収納されたメカユニット（機器ユニット）が設けられ、そのメカユニットの上方に隙間をもって配置され前後方向に進退動可能となる可動支持部材に回動自在に支持された表示パネルユニットを備えたものが知られている（例えば、特許文献１参照）。このようなディスク再生装置では、収納筐体内に収納状態にある表示パネルユニットが、使用時に、可動支持部材の進出動に伴って当該筐体から進出し、更に回動して起立状態となる。そして、メカユニットの前面（前面パネル）に形成されたディスク挿入口からＤＶＤ等のディスクが挿入されると、メカユニットがそのディスクを駆動して音楽、映像等の情報再生動作がなされる。
【０００３】
このようなディスク装置では、装置自体の薄型化が図られ、メカユニットの前面に形成されるディスク挿入口と、該メカユニットとその上方にて進退動する可動支持部材との隙間とが接近する傾向にある。このような状況において、可動支持部材が収納筐体から進出して表示パネルユニットが起立状態となった場合に前記表示パネルユニットがメカユニットの前面の前方かつ上方に位置することから、前記表示パネルユニットの下端部の陰になってメカユニット前面に形成されたディスク挿入口が視認し難くなる傾向にある。このため、ディスク挿入口に挿入すべきディスクを当該ディスク挿入口に接近したメカユニットと可動支持部材との隙間に誤って挿入してしまう可能性が高くなる。
【０００４】
そこで、可動支持部材が収納筐体から進出する際に、該可動支持部材（可動ベース）から前記隙間に挿入防止部材を突出させるようにしたディスク再生装置が提案されている（例えば、特許文献１参照）。このようなディスク再生装置によれば、可動支持部材が収納筐体から進出して表示パネルユニットが起立状態となる場合にメカユニットと可動支持部材との間の隙間に誤ってディスクを挿入しようとしてもそのディスクが挿入防止部材に突き当たるので、それ以上ディスクが前記隙間の奥に挿入されることを防止することができる。
【特許文献１】特開２００５−１４５６号公報
【発明の開示】
【発明が解決しようとする課題】
【０００５】
ところで、前述した従来の装置では、可動支持部材（可動ベース）に回動自在に支持された表示パネルユニットの起立状態への回動動作に連動して挿入防止部材が回動して可動支持部材からメカユニットとの隙間に突出するようにしているため、使用時における表示パネルユニットの起立角度（回動角度）が一定であれば、その角度に合わせて挿入防止部材が前記隙間を完全に閉ざすように設定すればよい。しかしながら、起立状態となる表示パネルユニットの起立角度（回動角度）を調整できるようにすると、その表示パネルユニットの回動角度に連動して挿入防止部材の前記隙間への突出状態が変動してしまい、ディスクの誤挿入防止効果も安定的なものとはならない。
【０００６】
本発明は、このような従来の問題を解決するためになされたもので、表示パネルユニットの起立角度にかかわらず、前記表示パネルユニットを回動自在に支持する可動支持部材と機器ユニットとの間の隙間に対するディスク状記録媒体の誤挿入を確実に防止することができる情報再生装置を提供するものである。
【課題を解決するための手段】
【０００７】
本発明に係る情報再生装置は、収納筐体と、該収納筐体内の下方部に設けられ、前面にディスク状記録媒体の挿入口を有する機器ユニットと、表面パネルユニットと、前記収納筐体内の前記機器ユニットの上方に隙間をもって配置されるとともに前後方向に進退動可能に設けられ、前端部にて前記表示パネルユニットの下端部を回動自在に支持する可動支持部材とを有し、前記収納筐体内に収納状態にある前記表示パネルユニットが、前記可動支持部材の進出動に伴って当該収納筐体から進出し、更に回動して起立状態となるようにした情報再生装置であって、前記可動支持部材の下面に固定され、該下面より突出するストッパ部材と、前記機器ユニットの上面に固定され、前記可動支持部材が前方へ完全に進出したときの前記ストッパ部材の位置より前方に配置されており、起立状態となる前記表示パネルユニットを支持する前記可動支持部材と当該機器ユニットとの間の隙間に挿入されたディスク状記録媒体を前記ストッパ部材に向けてガイドするガイド部材とを有する構成となる。
【０００８】
このような構成により、表示パネルユニットが収納筐体から進出し、更に回動して起立した状態で、機器ユニットの前面に形成された挿入口をめがけて進むディスク状記録媒体が誤って機器ユニットと起立状態となる前記表示パネルユニットを支持する可動支持部材との間の隙間に進入し、機器ユニットの上面に設けられたガイド部材に突き当たると、更に押される力によって進入しようとするディスク状記録媒体が前記ガイド部材によって前記可動支持部材の下面に設けられたストッパ部材に向けてガイドされる。そして、ガイドされるディスク状記録媒体の先端部がストッパ部材に突き当たると、それ以上の挿入が阻止されるようになる。
【０００９】
また、本発明に係る情報再生装置において、前記ストッパ部材は、前記ディスク状記録媒体が挿入され得る方向を横切る方向に所定間隔をもって配列された２つのストッパ片にて構成されたものとすることができる。
【００１０】
このような構成により、通常円盤状となるディスク状記録媒体の周縁の２箇所が２つのストッパ片に突き当たるようになるので、それ以上の進入はもとより、左右方向の移動も規制できるようになる。それにより、前記隙間に誤挿入されたディスク状記録媒体が当該隙間内でより安定した状態で進入規制され得るようになる。
【００１１】
また、本発明に係る情報再生装置において、前記ストッパ部材は、前記可動支持部材の下面に固定された板部材に形成されている構成とすることができる。
【００１２】
このような構成により、板部材を可動支持部材の下面に固定することにより該板部材に形成されたストッパ部材が前記下面から突出するようになるので、可動支持部材の下面に対するストッパ部材の固定作業を容易に行なうことができるようになる。
【００１３】
更に、本発明に係る情報再生装置において、前記機器ユニットと前記可動支持部材との間に配設されるフレキシブルプリント配線基板が前記板部材にて前記可動支持部材の下面に固定されている構成とすることができる。
【００１４】
このような構成により、可動支持部材の下面からストッパ部材を突出させるために該ストッパ部材の形成された板部材を可動支持部材の下面に固定する際に、同時に、該板部材によって、機器ユニットと可動支持部材内との間に配設されるフレキシブルプリント基板を可動支持部材の下面に固定することができるようになるので、装置の部品点数の削減を図ることができるようになる。
【００１５】
また、本発明に係る情報再生装置において、前記ガイド部材は、その前面側上部に、後方に向かって立ち上がる湾曲凹面となる第１ガイド部を有する構成とすることができる。
【００１６】
このような構成により、通常円盤状となるディスク状記録媒体の周縁先端部が第１ガイド部に突き当たると、その周縁が湾曲凹面にガイドされつつ上方の機器ユニットの下面に設けられたストッパ部材に向けて進み得るようになる。
【００１７】
また、本発明に係る情報再生装置において、前記ガイド部材は、第１ガイド部の横方向略中央部に更に上方に向かって開放された湾曲凹面となる第２ガイド部を有する構成とすることができる。
【００１８】
このような構成により、通常円盤状となるディスク状記録媒体の周縁先端部下面が第２ガイド部の湾曲凹面にガイドされつつ進み得るようになり、ディスク状記録媒体の面と第２ガイド面の湾曲凹面との間に隙間が生じ得るようになって、ディスク状記録媒体の面に傷が付くおそれをなくすことができる。
【発明の効果】
【００１９】
本発明に係る情報再生装置によれば、機器ユニットと可動支持部材との隙間に誤挿入されたディスク状記録媒体が機器ユニットの上面に設けられたガイド部材に突き当たると、該ガイド部材によって可動支持部材の下面から突出するストッパ部材に導かれ、該ストッパ部材によってそれ以上の進入が阻止されるようになるので、表示パネルユニットの起立角度にかかわらず、前記表示パネルユニットを回動自在に支持する可動支持部材と機器本体との間の隙間に対するディスク状記録媒体の誤挿入を確実に防止することができるようになる。
【発明を実施するための最良の形態】
【００２０】
以下、本発明の実施の形態について、図面を用いて説明する。
【００２１】
本発明の実施の一形態に係る情報再生装置は図１に示すように構成される。この例では、情報再生装置として、ＤＶＤ、ＣＤ等のディスク記録媒体から情報の再生を行なう車載用のディスク再生装置が示される。なお、図１（ａ）は、表示パネルユニットが起立状態となった状態でのディスク再生装置を示す正面図であり、同図（ｂ）は、その側面図である。
【００２２】
図１において、このディスク再生装置は、収納筐体１００内の下方部にディスク（ＤＶＤ、ＣＤ等のディスク状記録媒体）の駆動機構等が収容されたディスクドライブメカユニット１０（機器ユニット）が設けられ、そのディスクドライブメカユニット１０の上方（図面において上方）に前後方向（図１（ａ）において図面の紙面に垂直な方向、図１（ｂ）において横方向）に進退動可能となるように可動支持部材３０が設けられている。可動支持部材３０とディスクドライブメカユニット１０との間には隙間Ｓが形成され、可動支持部材３０の先端部にて表示パネルユニット２０の下端部が回動自在に支持されている。
【００２３】
立上げアーム３１の一端部が表示パネルユニット２０の側面の所定部位に回動自在に結合しており、その他端部が収納筐体１００の内側面に前後方向に摺動可能かつ回動自在に結合している。なお、図１（ｂ）では、表示パネルユニット２０の一方の側面しか示されていないが、他方の側面側にも同様にして立上げアームが設けられている。可動支持部材３０が収納筐体１００内に後退動すると、立上げアーム３１にて支持される表示パネルユニットは、その下端部から収納筐体１００内に引き込まれて、可動支持部材３０と略平行な状態にて収納筐体１００内に収容される。一方、可動支持部材３０が収納筐体１００から進出動すると、その進出動に伴って表示パネルユニット２０が収納筐体１００から進出し、立上げアーム３１の収納筐体１００の内側面を摺動してきた端部が所定の位置にてロックされると、可動支持部材３０の進出に伴う下端部の前進動によって立上げアーム３１にて支持される表示パネルユニット２０が回動して表示画面２１を前方に向けて起立状態となる（図１（ａ）、（ｂ）の状態）。
【００２４】
ディスクドライブユニット１０の前端部には前面パネル１１が装着されており、その前面パネル１１に横方向に延びるディスク挿入口１２が形成されている。ディスク挿入口１２から挿入されたディスクは、ディスクドライブメカユニット１０内にセットされ、回転駆動されつつ情報（音楽、映像等）の再生がなされる。
【００２５】
可動支持部材３０の下面には、図２及び図３（ａ）に示すように、押え板４０が例えばビスなどによって固定されている。押え板４０は、所定長の横板部４１とその両端部に位置する縦板部４２、４３とによって略コ字状に形成され、横板部４１が可動支持部材３０の前方縁に沿って略その中央部に配置されるともに各縦板部４２、４３が後方に向かって延びるように固定される。各縦板部４２、４３の先端部が略垂直に折り曲げられ、その折り曲げ部分が可動支持部材３０の下面から突出するストッパ片４２ａ、４３ａ（ストッパ部材）となる。これらストッパ片４２ａ、４３ａは、図１（ａ）、（ｂ）に示すように、可動支持部材３０の下面から突出しているものの、それらの先端部とディスクドライブメカユニット１０の上面との間には充分な隙間があり、可動支持部材３０の進退動を妨げるものとはなっていない。
【００２６】
押え板４０は、ディスクドライブメカユニット１０と可動支持部材３０との間に配設されるフレキシブルプリント配線基板（ＦＰＣ）２００を横板部４１にて押さえ込むようにして可動支持部材３０の下面に固定している（図３（ａ）参照）。このフレキシブルプリント配線基板２００は、例えば、図３（ｂ）に示すように、基部２０１の一方の側にディスクドライブメカユニット１０側に延びるべき基板部分２１０が形成され、基部２０１の他方の側に可動支持部材３０（表示パネルユニット２０）側に延びるべき基板部分２１１、２１２が形成されている。そして、押え板４０の横板部４１にて基部２０１が押さえ込まれた状態で可動支持部材３０の下面に固定されたフレキシブルプリント配線基板２００の一方の基板部分２１０がドライブメカユニット１０に引き込まれ、他方の基板部分２１１及び２１２が可動支持部材３０に引き込まれるようになっている。
【００２７】
起立状態となった表示パネルユニット２０を支持する可動支持部材３０の下面とディスクドライブメカユニット１０との間の隙間ＳにディスクＤが図４に示すように誤って挿入されてディスクＤの周縁部が図５に示すように押え板４０の２つの縦板部４２、４３に形成されたストッパ片４２ａ、４３ａに突き当たると、ディスクＤのそれ以上の進入が阻止される。
【００２８】
前述したように表示パネルユニット２０を回動自在に支持する可動支持部材３０に対向するディスクドライブメカユニット１０の上面には、図６乃至図８に示すようにガイド部材５０が設けられている。なお、図６は、ディスクドライブメカユニット１０を示す斜視図であり、図７は、ディスクドライブメカユニット１０を上面側からみた平面図であり、図８は、ディスクドライブメカユニット１０の上面に設けられたガイド部材５０の詳細構造を示す部分斜視図である。
【００２９】
図６及び図７に示すように、ディスクドライブメカユニット１０の上面には、前面パネル１１の上面縁に沿って横方向（図７における横方向）に延びるガイド部材５０が固定されている。このガイド部材５０は、図８に示すように、ディスクＤの挿入側の角（前面側上部の角）にディスクドライブメカユニット１０の後方に向かって立ち上がるような湾曲凹面となる第１ガイド部５１が形成されている。また、その第１ガイド部５１の横方向略中央部に更に上方に向かって開放された湾曲凹面となる第２ガイド部５２が形成されている。第１ガイド部５１及び第２ガイド部５２の湾曲凹面は、例えば、部分球面となっており、第１ガイド部５１の部分球面の半径（ＳＲ１）は、第２ガイド部５２の部分球面の半径（ＳＲ２）より大きくなるように設定されている（ＳＲ１＞ＳＲ２）。ガイド部材５０は、可動支持部材３０が前方へ完全に進出したときのストッパ片４２ａ、４３ａの位置よりも更に前方に配置されており、このストッパ片４２ａ、４３ａと上下方向に重なることはない。よって、可動支持部材３０の進出動がガイド部材５０によって妨げられることがない。
【００３０】
前述したような構造のディスク再生装置では、可動支持部材３０が収納筐体１００から進出して表示パネルユニット２０が起立した状態において（図１参照）、表示パネルユニット２０の表示画面２１に対向して斜め上方から前面パネル１１を見下ろす利用者が、その前面パネル１１のディスク挿入口１２に挿入するつもりのディスクＤを誤って可動支持部材３０と前面パネル１１（ディスクドライブメカユニット１０）との間の隙間Ｓに挿入してしまうことがある。この場合、斜め上方から当該隙間ＳにディスクＤが進入すると、図９（ａ）に示すように、ディスクＤの先端縁部がディスクドライブユニット１０の上面に設けられたガイド部材５０の前方縁に突き当たる。すると、ディスクＤの先端縁部が第１ガイド部５１上を摺動し、ディスクＤの先端縁部は、後方に向かって立ち上がる第１ガイド部５１の部分球面に沿ってガイドされることにより徐々に上方の可動支持部材３０に向かっていく。そして、ディスクＤが可動支持部材３０の下面に設けられたストッパ片４２ａ、４３ａに向けて進み、図９（ｂ）に示すように、ディスクＤの周縁部（２箇所）が、そのディスクＤの進入方向を横切る方向（略直交する方向）に配列された２つのストッパ片４２ａ、４３ａに突き当たる（図５参照）。なお、第１ガイド部５１と第２ガイド部５２は、上方または斜め上方に向かって開放された部分球面となっているため、ガイド部材５０上を摺動するディスクＤの下面（記録面）がガイド部材５０の前面５０ａや上面５０ｂに摺接することがなく、ディスクＤの傷付きが防止されるようになっている。
【００３１】
このように、斜め上方から誤って可動支持部材３０と前面パネル１１（ディスクドライブユニット１０）との間の隙間ＳにディスクＤが挿入されると、ディスクドライブユニット１０の上面に設けられたガイド部材５０によってディスクＤが可動支持部材３０の下面に設けられたストッパ片４２ａ、４３ａに向けてガイドされ、ディスクＤの周縁部（２箇所）がストッパ片４２ａ、４３ａに突き当たるようになるので、ディスクＤのそれ以上の進入が阻止される。このようにディスクＤの進入が阻止されることにより、利用者は、ディスクＤがディスク挿入口１２に正しく挿入されなかったことを認識することができる。
【００３２】
例えば、立上げレバー３１の収納筐体１００の内側面でのロック位置を前後方向で調整することにより、表示パネルユニット２０の起立角度を調整することができる。このような機構によって表示パネルユニット２０の起立角度の調整がなされる場合であっても、ディスクドライブメカユニット１０の上面に設けられたガイド部材５０と可動支持部材３０の下面に設けられたストッパ片４２ａ、４３ａとの相対的な位置関係に変化はない。このため、表示パネルユニット２０の起立角度にかかわらず、表示パネルユニット２０を回動自在に支持する可動支持部材３０とディスクドライブメカユニット１０との間の隙間Ｓに対するディスクＤの誤挿入を確実に防止することができるようになる。
【００３３】
なお、可動支持部材３０を前後方向に移動させることにより表示パネルユニット２０の起立角度を調整するものであっても、ガイド部材５０とストッパ片４２ａ、４３ａとの上下方向における相対位置に変化はなく、角度調整の実用的な範囲では、ストッパ片４２ａ、４３ａの前後方向における位置も変化量が小さいため、前記隙間Ｓに誤挿入されたディスクＤがガイド部材５０によってストッパ片４２ａ、４３ａに向けてガイドすることが可能である。
【００３４】
また、可動支持部材３０とディスクドライブメカユニット１０との間の隙間Ｓに誤挿入されたディスクＤの周縁の２箇所が２つのストッパ片４２ａ、４３ａに突き当たるようになるので（図５参照）、それ以上の進入が阻止されることはもとより、横方向への移動も規制され、前記隙間Ｓに誤挿入されたディスクＤがその隙間Ｓ内でより安定した状態で進入規制されるようになる。
【００３５】
また、フレキシブルプリント配線基板２００を可動支持部材３０に固定するための板部材４１にディスクＤの進入を阻止するためのストッパ片４２ａ、４３ａを形成するようにしているので、ディスクＤの進入を阻止するためのストッパ部材とフレキシブルプリント配線基板２００の固定部材と個別に設ける必要がなく、装置の部品点数を削減することができるようになる。
【００３６】
なお、前述した例では、ディスクＤが斜め上方から可動支持部材３０と前面パネル１１（ディスクドライブユニット１０）との間の隙間Ｓに誤挿入される場合について述べたが、例えば、前面パネル１１の前方斜め下方から前記隙間ＳにディスクＤが挿入された場合、図１０に示すように、当該ディスクＤは、前面パネル１１の上縁角部に擦られながら移動し、最終的に、可動支持部材３０の下面から突出するストッパ片４２ａ、４３ａに突き当たる。また、前面パネル１１の前方斜め下方から徐々に水平状態に起こしながらディスクＤが前記隙間Ｓに挿入された場合、図１１に示すように、当該ディスクＤは、前面パネル１１の上縁角部に擦られて更にガイド部材５０によって可動支持部材３０の下面から突出するストッパ片４２ａ、４３ａに向けてガイドされ、最終的に、前記ストッパ片４２ａ、４３ａに突き当たる。更に、ディスクＤが略水平状態で、前記隙間Ｓに挿入された場合、図１２に示すように、当該ディスクＤは、その隙間Ｓ内で僅かな上下動をしつつ、最終的に、可動支持部材３０の下面から突出するストッパ片４２ａ、４３ａに突き当たる。前述した各場合とも、ディスクＤはストッパ片４２ａ、４３ａに突き当たって、それ以上の進入が阻止される。
【産業上の利用可能性】
【００３７】
以上、説明したように、本発明に係る情報再生装置は、表示パネルユニットの起立角度にかかわらず、前記表示パネルユニットを回動自在に支持する可動支持部材と機器本体との間の隙間に対するディスク状記録媒体の誤挿入を確実に防止することができるという効果を有し、表示パネルユニットを有し、ＤＶＤ（Digital Versatile Disk）やＣＤ（Compact Disk）からオーディオ情報（音楽及び映像）を再生する車載オーディオ装置等、ディスク状記録媒体から情報を再生する情報再生装置として有用である。
【図面の簡単な説明】
【００３８】
【図１】本発明の実施の一形態に係る情報再生装置としてのディスク再生装置を示す正面図（ａ）及び側面図（ｂ）である。
【図２】図１に示すディスク再生装置における可動支持部材を下面側から見た斜視図である。
【図３】ストッパ片の形成された板部材（ストッパ片）にてフレキシブルプリント配線基板が下面に固定された状態の可動支持部材を示す平面図（ａ）及びフレキシブルプリント配線基板を示す平面図（ｂ）である。
【図４】可動支持部材とディスクドライブメカユニットとの間の隙間にディスクＤが挿入された状態を示す断面図である。
【図５】ディスクＤがストッパ片に突き当たった状態となる可動支持部材の下面を示す平面図である。
【図６】ディスクドライブメカユニットを示す斜視図である。
【図７】ディスクドライブメカユニットを上方から見た平面図である。
【図８】ディスクドライブメカユニットの上面に設けられたガイド部材の詳細構造を示す部分斜視図である。
【図９】可動支持部材と前面パネル（ディスクドライブメカユニット）との間の隙間に斜め上方向からディスクが挿入された状態を示す拡大側面図（ａ）及びディスクが可動支持部材の下面から突出するストッパ片に突き当たった状態を示す拡大側面図（ｂ）である。
【図１０】可動支持部材と前面パネル（ディスクドライブメカユニット）との間の隙間に斜め下方からディスクが挿入され、可動支持部材の下面から突出するストッパ片に突き当たった状態を示す拡大側面図である。
【図１１】可動支持部材と前面パネル（ディスクドライブメカユニット）との間の隙間に斜め下方から徐々に水平状態に起こしながらディスクが挿入され、可動支持部材の下面から突出するストッパ片に突き当たった状態を示す拡大側面図である。
【図１２】可動支持部材と前面パネル（ディスクドライブメカユニット）との間の隙間に略水平方向からディスクが挿入され、可動支持部材の下面から突出するストッパ片に突き当たった状態を示す拡大側面図である。
【符号の説明】
【００３９】
１０  ディスクドライブメカユニット（機器ユニット）
１１  前面パネル
１２  ディスク挿入口
２０  表示パネルユニット
２１  表示画面
３０  可動支持部材
３１  立上げアーム
４０  板部材
４１  横板部
４２、４３  縦板部
４２ａ、４３ａ  ストッパ片
５０  ガイド部材
５１  第１ガイド部
５２  第２ガイド部
１００  収納筐体
２００  フレキシブルプリント配線基板（ＦＰＣ）
２０１  基部
２１０、２１１、２１２  基板部分
【図１】
0004656430.tif 000002
【図２】
0004656430.tif 000003
【図３】
0004656430.tif 000004
【図４】
0004656430.tif 000005
【図５】
0004656430.tif 000006
【図６】
0004656430.tif 000007
【図７】
0004656430.tif 000008
【図８】
0004656430.tif 000009
【図９】
0004656430.tif 000010
【図１０】
0004656430.tif 000011
【図１１】
0004656430.tif 000012
【図１２】
0004656430.tif 000013